(57)【特許請求の範囲】
【請求項１】
クランク部材の左右の腕部端末を略Ｌ形状に折曲し、
小径の長孔部の一端に大径孔部を連続させた鍵穴形状の挿通孔を、クランク部材の腕部端末の略Ｌ形状部を水平方向から挿通可能とする長さで左右の支持部材にそれぞれ形成するとともに、小径の長孔部の延びる方向および位置を、クランク部材への荷重作用方向に一致しない方向、およびクランク部材の腕部端末の略Ｌ形状部の回動範囲と重複しない位置として、それぞれ規定し、
挿通孔の大径孔部に嵌着可能なブッシュをクランク部材の腕部に環装し、このブッシュを挿通孔の大径孔部に嵌着することにより、クランク部材の腕部を、支持部材の挿通孔への腕部端末の係止可能な状態で挿通孔の大径孔部に回動可能に保持する車両用シートのクランク部材保持構造。
【請求項２】
ブッシュが、挿通孔の大径孔部に嵌着可能な本体部と、大径孔部より大径のフランジ部とを一体に有した硬質ゴムまたはプラスチックのいずれかからなり、
大径孔部の周縁に係合されてフランジ部との隙間に支持部材を挟持する係合片が、ブッシュの本体部の周面に形成された請求項１記載の車両用シートのクランク部材保持構造。
【請求項３】
係合片がブッシュの本体部の周面方向に離間した複数個所に形成された請求項２記載の車両用シートのクランク部材保持構造。
【発明の詳細な説明】
【技術分野】
【０００１】
本発明は、車両用シートに設けられ、挿通孔の形成された左右の支持部材間にクランク部材を回動可能に保持する車両用シートのクランク部材保持構造に関する。
【背景技術】
【０００２】
たとえば、特開平１０−１３８８１２号公報記載のように、従来のクランク部材の左右の腕部は、ストレート形状に、つまり、加工の施されていない水平形状に形成されている。そして、シートバックフレームの左右のサイドフレームのような支持部材に形成された挿通孔に水平形状の腕部が挿通され、挿通孔から延出した腕部にブッシュナットやＥリングなどが装着されてクランク部材を支持部材間に回動可能に保持している。
【特許文献１】特開平１０−１３８８１２号公報
【発明の開示】
【発明が解決しようとする課題】
【０００３】
しかし、ブッシュナットを使用する場合には段付加工が、Ｅリングを使用する場合には環状の切り溝加工がクランク部材の腕部端末に必要となり、段付加工や切り溝加工はクランク部材を成形する折曲加工とは異なる特殊加工のために、コストが嵩む。
さらに、ブッシュナットやＥリングなどの装着には、特殊工具による作業が要求されるため、作業性の低下が避けられない。
【０００４】
また、クランク部材の水平形状の腕部を支持部材の挿通孔に挿通、支持する構成では、クランク部材に過大な荷重が作用すると、その荷重は抜け落ち防止用のブッシュナットやＥリングに集中的に作用する。そのため、腕部が変形するほどの過大な荷重が加わると、ブッシュナットやＥリングはもはやその荷重に耐えることができずに破損して、支持部材の挿通孔から腕部が抜け落ちるおそれがある。
【０００５】
本発明は、コストの削減が可能で、簡単な構成にも拘らず挿通孔からの腕部の抜け落ちの生じるおそれのない車両用シートのクランク部材保持構造の提供を目的としている。
【課題を解決するための手段】
【０００６】
請求項１に係る本発明によれば、クランク部材の左右の腕部端末を略Ｌ形状に折曲し、
小径の長孔部の一端に大径孔部を連続させた鍵穴形状の挿通孔を、クランク部材の腕部端末の略Ｌ形状部を水平方向から挿通可能とする長さで左右の支持部材にそれぞれ形成するとともに、小径の長孔部の延びる方向および位置を、クランク部材への荷重作用方向に一致しない方向、およびクランク部材の腕部端末の略Ｌ形状部の回動範囲と重複しない位置として、それぞれ規定している。そして、挿通孔の大径孔部に嵌着可能なブッシュをクランク部材の腕部に環装し、このブッシュを挿通孔の大径孔部に嵌着することにより、クランク部材の腕部を、支持部材の挿通孔への腕部端末の係止可能な状態で挿通孔の大径孔部に回動可能に保持している。
【０００７】
請求項２に係る本発明によれば、ブッシュが、挿通孔の大径孔部に嵌着可能な本体部と、大径孔部より大径のフランジ部とを一体に有した硬質ゴムまたはプラスチックのいずれかからなり、大径孔部の周縁に係合されてフランジ部との隙間に支持部材を挟持する係合片が、ブッシュの本体部の周面に形成されている。
請求項３に係る本発明によれば、係合片はブッシュの本体部の周面方向に離間した複数個所に形成されている。
【発明の効果】
【０００８】
請求項１に係る本発明では、クランク部材の腕部の端末を略Ｌ形状に折曲すれば足り、段付加工や切り溝加工のような特殊加工を腕部端末に施す必要がないため、コストの削減が可能となる。
また、腕部の端末を略Ｌ形状に折曲すれば足りるため、簡単な構成であり、クランク部材に過大な荷重が作用しても、支持部材の挿通孔に挿通された腕部端末の略Ｌ形状部は支持部材の挿通孔に係止されて荷重に抗することができ、ブッシュが破損しても、支持部材の挿通孔からの腕部の抜け落ちが阻止される。
なお、クランク部材の腕部に環装されたブッシュが挿通孔の大径孔部に嵌着されて、大径孔部に位置する略Ｌ形状部の長孔部方向への動きが防止されるため、過大な荷重が作用しない通常の使用状態での挿通孔からの腕部の抜け落ちは生じない。
【０００９】
請求項２に係る本発明では、ブッシュのフランジ部と係合片との間に支持部材を挟持できるとともに、ブッシュは硬質ゴムまたはプラスチックのいずれかからなるため、円滑な回動を確保しながらガタや異音の生じない支持が可能となる。
請求項３に係る本発明では、係合片は断片形状であるため、ブッシュの本体部が変形しやすく、挿通孔の大径孔部へのブッシュの嵌着が円滑になされる。
【発明を実施するための最良の形態】
【００１０】
本発明では、クランク部材の腕部の端末を略Ｌ形状に折曲するとともに、腕部に環装したブッシュを嵌着することにより、クランク部材を支持部材に設けた挿通孔の大径孔部に回動可能に保持している。
【実施例】
【００１１】
以下図面を参照しながら本発明の実施例について詳細に説明する。ここで、図１（Ａ）〜（Ｃ）、図２は、クランク部材をランバーサポートとした本発明の一実施例に係るクランク部材を保持する概略工程図およびその保持構造の概略図を示す。
【００１２】
図１、図２においては、クランク形状のランバーサポートがクランク部材として具体化されており、図２に示すように、ランバーサポート（クランク部材）１２は、着座者の腰椎を支持する位置で車両用シートのシートバックフレーム２２の左右のサイドフレーム(支持部材)２２Ｌ、２２Ｒ間に回動可能に取付けられて疲労を軽減するように機能する。
ランバーサポートへの応用は本発明の一応用例にすぎず、ランバーサポートの構成そのものは公知であり、本発明の要旨でもないため、その詳細な説明は省略する。
【００１３】
ランバーサポート１２は、棒材、たとえば鋼の中実棒などの中央１２ｃと左右の端との間が傾斜部１２ｂとなるように、左右で２回ずつ折曲することにより、水平な中央と同様な水平な端を腕部１２ａ１、１２ａ２とするクランク形状に成形されている。さらに、左右の腕部１２ａ１、１２ａ２の端末は略Ｌ形状に折曲されている。たとえば、腕部１２ａ１、１２ａ２の端末は略９０°下方に折曲される。
ランバーサポート１２は、通常、その全長で同一径の棒材から成形されるが、必要に応じて異径の棒材から成形してもよい。
【００１４】
支持部材であるシートバックフレーム２２の左右のサイドフレーム２２Ｌ、２２Ｒには、大径孔部２４ａに小径の長孔部２４ｂを連続させた鍵穴形状の挿通孔２４がそれぞれ形成されている。ここで、ランバーサポートの腕部の略Ｌ形状部１２ａ’１、１２ａ’２が略水平方向から挿通可能な長さに、挿通孔２４は形成されている。すなわち、図１（Ａ）において、挿通孔２４の上下方向の長さｈ１は、略Ｌ形状部１２ａ’１の上下方向の長さｈ２よりも大きく、挿通孔の長孔部２４ｂの幅（直径）ｄ１が腕部１２ａ１の直径ｄ２よりも大径にそれぞれ形成されている。
【００１５】
図３は、挿通孔、略Ｌ形状部の関係を示す保持構造の一部破断図を示す。
図３に示すように、長孔部２４ｂがランバーサポートに作用する荷重の作用方向と一致しない方向に延び、腕部端末の略Ｌ形状部１２ａ’１の回動範囲Ａと重複して長孔部２４ｂが位置しないように、挿通孔２４は形成されている。実施例では、長孔部２４ｂは上方にほぼ垂直に延ばされている。
【００１６】
つまり、ランバーサポート１２においては、矢視するように、荷重Ｆはシートの前方から後方に略水平方向に作用する。しかし、挿通孔の長孔部２４ｂは略水平方向を避けて延ばされているため、腕部１２ａ１が大径孔部２４ａから長孔部に逃げることがなく、腕部を所定の位置に保持できる。
また、ランバーサポート１２の回動に伴って腕部１２ａ１の一部である略Ｌ形状部１２ａ’１も回動し、一点鎖線で示す位置まで略Ｌ形状部１２ａ’１が回動するとすれば、その回動範囲Ａに挿通孔の長孔部２４ｂが重複して位置しない。そのため、略Ｌ形状部１２ａ’１と長孔部２４ｂとが整列することはなく、略Ｌ形状部が長孔部から抜け落ちるおそれがない。
【００１７】
実施例では、長孔部２４ｂを上方にほぼ垂直に延出させて挿通孔２４が形成されている。しかし、長孔部２４ｂがランバーサポートに作用する荷重の作用方向と一致しない方向に延びて、腕部端末の略Ｌ形状部１２ａ’１の回動範囲Ａと重複して位置しなければ足り、長孔部の延出方向は上方に限定されない。
【００１８】
図１（Ａ）〜（Ｃ）を参照しながら、シートバックフレームの左のサイドフレーム(支持部材)２２Ｌへのランバーサポートの左の腕部１２ａ１の支持について述べる。なお、シートバックフレームの右のサイドフレーム２２Ｒへのランバーサポートの右の腕部１２ａ２の支持は、左右の相違を除いて、図１（Ａ）〜（Ｃ）と同一であることはいうまでもない。
【００１９】
上記のように、挿通孔２４に挿通可能な略Ｌ形状部１２ａ’１が、ランバーサポート１２のための折曲加工においてランバーサポートの腕部１２ａ１の端末に成形される。
図１（Ａ）に示すように、腕部１２ａ１の端末に成形された略Ｌ形状部１２ａ’１を挿通孔２４に略水平方向で整列させ、矢視のように水平移動させて挿通孔に挿通させる。
【００２０】
それから、図１(Ｂ)に矢視で示すように、腕部１２ａ１を下方に移動させて挿通孔の大径孔部２４ａまで下降させ、図１（Ｃ）に示すように、挿通孔の大径孔部に位置する腕部にブッシュ３０を環装して腕部を挿通孔に支持させる。
【００２１】
図４（Ａ）（Ｂ）はブッシュの正面図および斜視図を示す。
図４（Ａ）（Ｂ）に示すように、ブッシュ３０は、本体部３０ａと、本体部より大径のフランジ部３０ｂとを一体に有して形成され、本体部は挿通孔の大径孔部２４ａに嵌着可能な形状となっている。また、係合片３０ｃが本体部３０ａの周面に形成されている。
【００２２】
係合片３０ｃは、ブッシュの本体部３０ａが挿通孔の大径孔部２４ａに嵌着されたとき、大径孔部の周縁に係合して、フランジ部３０ｂとの間にサイドフレーム２２Ｌを挟持してブッシュの抜け落ちを防止するものであり、実施例では１８０°離間して２つ設けられている。
たとえば、係合片３０ｃは、フランジ部３０ｂに隣接する方向で高くなる形状の斜面形状とされ、フランジ部に対向する端面とフランジ部との間にサイドフレーム２２Ｌをほぼ隙間なく挟持する溝３０ｃ’を残した形状に形成される。
【００２３】
係合片３０ｃはブッシュ３０が抜け落ちることなく挿通孔の大径孔部２４ａに嵌着されれば足り、図示の形状に限定されない。たとえば、係合片の数は２つに限定されず、３つ以上でもよい。また、係合片３０ｃはサイドフレーム２２Ｌをほぼ隙間なく挟持する溝３０ｃ’を有する形状であれば足り、断片的な形状でなく、サイドフレームを挟持可能な環状溝を有する円錐台形状としてもよい。
しかし、係合片３０ｃをブッシュの本体部３０ａの周面方向に離間した複数個所に形成した図示の断片形状とすれば、ブッシュの本体部が変形しやすいため、挿通孔の大径孔部２４ａへのブッシュ３０の嵌着が円滑になされる。
【００２４】
ブッシュ３０は、フランジ部３０ｂを外側にしてサイドフレーム２２Ｌの外側で、略Ｌ形状部１２ａ’１の端から略Ｌ形状部に嵌装し、腕部１２ａ１まで略Ｌ形状部に沿ってスライドさせ、本体部周面の係合片３０ｃを挿通孔の大径孔部２４ａに押し付ける。すると、本体部３０ａが変形しながら大径孔部２４ａに挿通、嵌着され、係合片３０ｃが原形に復帰して大径孔部の周縁に係合することにより、フランジ部３０ｂと係合片との間の溝３０ｃ’にサイドフレーム２２Ｌが挟持される。
【００２５】
同様にして、シートバックフレームの右のサイドフレーム２２Ｒについても、サイドフレームがブッシュ３０によって挟持される。
【００２６】
サイドフレームの左右のサイドフレーム２２Ｌ、２２Ｒが挿通孔の大径孔部２４ａに嵌着されたブッシュ３０に挟持されることにより、ランバーサポートの左右の腕部１２ａ１、１２ａ２は、挿通孔２４に回動自在に支持され、ランバーサポート(クランク部材)１２は左右のサイドフレーム(支持部材)に回動可能に保持される。
そして、ランバーサポートの腕部１２ａ１、１２ａ２の端末を略Ｌ形状に折曲すれば略Ｌ形状部１２ａ’１、１２ａ’２が成形され、段付加工や切り溝加工のような特殊加工を腕部端末に施す必要がないため、コストの削減が可能となる。
また、ランバーサポート１２に過大な荷重が作用しても、サイドフレームの挿通孔２４に挿通された腕部端末の略Ｌ形状部１２ａ’１、１２ａ’２は、支持部材の挿通孔に係止されて、荷重に抗することができるため、ブッシュ３０が破損しても、挿通孔からの腕部の抜け落ちが阻止される。つまり、腕部１２ａ１、１２ａ２の端末を略Ｌ形状に折曲すれば足りる簡単な構成であるにも拘らず荷重に抗することができ、挿通孔２４からの腕部の抜け落ちを確実に阻止できる。
【００２７】
ランバーサポートの左右の腕部１２ａ１、１２ａ２に環装されたブッシュ３０が挿通孔の大径孔部２４ａに嵌着されているため、大径孔部に位置する略Ｌ形状部の長孔部方向への動きが防止される。そのため、過大な荷重が作用しない通常の使用状態においても、挿通孔２４からの腕部１２ａ１、１２ａ２の抜け落ちは生じない。
【００２８】
ランバーサポートの左右の腕部１２ａ１、１２ａ２の端末を略Ｌ形状に折曲成形しても、略Ｌ形状部１２ａ’１、１２ａ’２の挿通可能な挿通孔２４をサイドフレーム２２Ｌ、２２Ｒに設けているため、挿通作業は円滑に行える。そして、ブッシュ３０を装着するだけで腕部１２ａ１、１２ａ２は挿通孔２４に回動自在に支持され、ブッシュの装着は容易に行なえる。そのため、特殊工具による作業は不要となり、作業性が向上する。
【００２９】
たとえば、金属、硬質ゴム、プラスチックなどから成形されたブッシュ３０が使用できる。しかし、硬質ゴム、プラスチックから成形されたブッシュ３０を使用すれば、適度の弾性を有するため、円滑な回動を確保しながら、ガタや異音の生じない支持が可能となる。
【００３０】
ブッシュ３０をスリット付の割りブッシュとすれば、略Ｌ形状部１２ａ’１、１２ａ’２の端から嵌着することなく、略Ｌ形状部や腕部１２ａ１、１２ａ２の適宜な位置で嵌着することが可能となり、高い作業性が確保される。
【００３１】
上記実施例は、この発明を説明するためのものであり、この発明を何等限定するものでなく、この発明の技術範囲内で上記以外の変形、改造等の施されたものも全てこの発明に包含されることはいうまでもない。
【産業上の利用可能性】
【００３２】
実施例では、車両用シートのランバーサポートをクランク部材とする場合について述べているがこれに限定されず、本発明は支持部材に回動可能に取付けられるクランク部材の保持構造に広く応用できる。たとえば、後突時に着座者からの荷重を受けて、ヘッドレストを上方かつ前方に強制的に傾動させる（車両用シートのアクティブヘッドレストの）クランク形状の受圧部材などの保持構造にも応用できる。
【図面の簡単な説明】
【００３３】
【図１】（Ａ）〜（Ｃ）は、クランク部材をランバーサポートとした本発明の一実施例に係るクランク部材を保持する概略工程図を示す。
【図２】クランク部材をランバーサポートとした本発明の一実施例に係る車両用シートのクランク部材保持構造の概略図を示す。
【図３】挿通孔、略Ｌ形状部の関係を示す保持構造の一部破断図を示す。
【図４】（Ａ）（Ｂ）はブッシュの正面図および斜視図を示す。
【符号の説明】
【００３４】
１２      ランバーサポート（クランク部材）
１２ａ１、１２ａ２    腕部
１２ａ’１、１２ａ’２    略Ｌ形状部
２２      シートバックフレーム
２２Ｌ、２２Ｒ    サイドフレーム(支持部材)
２４      挿通孔
２４ａ    大径孔部
２４ｂ    小径の長孔部
３０      ブッシュ
３０ａ    本体部
３０ｂ    フランジ部
３０ｃ    係合片
【図１】
0004667431.tif 000002
【図２】
0004667431.tif 000003
【図３】
0004667431.tif 000004
【図４】
0004667431.tif 000005